(57)【要約】  【課題】  半導体工場などで躓きにくい静電気帯電防止靴を提供する。  【解決手段】  親箱以下各指を載置する部分Ｐを囲む、靴底面の先端側周端部１ａに、該周端部１ａの縁部１´に沿わせて接地ブロック２，３，４，５，６を突設し、該接地ブロック２，３，４，５，６は、接地面２ａ，３ａ，４ａ，５ａ，６ａを凹凸状にする。そして、接地面２ａ，３ａ，４ａ，５ａ，６ａの靴底表面の面外方向側の、接地ブロック２，３，４，５，６の周側面２ｂ，３ｂ，４ｂ，５ｂ，６ｂに連続する端縁部を曲面上にする。【選択図】    図１
2008149061.tif 000002
【特許請求の範囲】
【請求項１】
親指以下各指を載置する部分を囲む、靴底表面の先端側周端部に、該周端部の縁部に沿わせて接地ブロックを連続又は非連続にして突設し、該接地ブロックは、接地面を凹凸状にすると共に、接地面の靴底表面の面外方向側の、接地ブロックの周側面に連続する端縁部を曲面状にした、静電気帯電防止靴用靴底。
【請求項２】
靴底表面の、親指の先部で押圧される部分と親指のつけ根部で押圧される部分および小指のつけ根部で押圧される部分のそれぞれに、第二接地ブロックを突設した、請求項１記載の静電気帯電防止靴用靴底。
【請求項３】
接地ブロックと第二接地ブロックの一方又は双方の周側面は、接地面から基端部にかけて接地面の面外方向に向かって高さが漸小する形態とした、請求項１又は２記載の静電気帯電防止靴用靴底。
【発明の詳細な説明】
【技術分野】
【０００１】
この発明は、人体に帯電する静電気を床に逃がすために半導体工場等で用いている静電気帯電防止靴用靴底に関するものである。
【背景技術】
【０００２】
静電気帯電防止靴は、具体例を挙げるまでもなく公知であるが、これまでの靴底は設置部全面にブロック意匠を配するなど一般靴の延長線上にあるものが多く、そのため床材との摩擦による靴本体からの摩耗による発塵が起こりやすく、半導体を汚染する危険性があった。さらに、静電気帯電靴は人体に帯電する静電気を床に逃がすものであるため、その靴底は、床との接地面が広くなることが望ましいために靴底接地面のブロック意匠を無くし、フラットな靴底にしたものが上市されるようになってきた。しかしその反面フラットで接地面が広くなったために床との摩擦抵抗が大きくなり、その結果として踏付け部が床にふれると全く滑らず、従って、前につんのめるようになり、転倒事故がしばしば生じるという事態となっていた。
【発明の開示】
【発明が解決しようとする課題】
【０００３】
半導体工場等ではロンリウムやリノリウムといったプラスチック床材が用いられ、また、半導体に対する埃の付着を防止するためにダウンフローで清浄な空気を流すため用いられているグレーチング構造も躓きの原因となっていることが判明し、それに対処手段が望まれるようになってきているが、この発明は、該対処手段のひとつとして提案するものである。
【課題を解決するための手段】
【０００４】
親指以下各指を載置する部分を囲む、靴底表面の先端側周端部に、該周端部の縁部に沿わせて接地ブロックを連続又は非連続にして突設し、該接地ブロックは、接地面を凹凸状にすると共に、接地面の靴底表面の面外方向側の、接地ブロックの周側面に連続する端縁部を曲面状にしたことを基本的手段とし、この具体的手段に靴底面の、親指の先部で押圧される部分と親指のつけ根部で押圧される部分および小指のつけ根部で押圧される部分のそれぞれに、第二接地ブロックを突設したことを付加することにより、これら第二接地ブロックが歩行時に最も荷重がかかる位置であることによりバランスよく、従って、躓き防止効果を尚一層期待できる靴を提供できる。
【０００５】
また、前記の基本的事項等に接地ブロックと第二接地ブロックの一方又は双方の周側面は、接地面から基端部にかけて接地面の面外方向に向かって高さが漸小する形態の点を負荷することにより耐久的にも支障のない靴を提供できる。
【発明の効果】
【０００６】
本発明によれば、踏付け部の先端側の周端部に他と独立した接地ブロックがあり、しかも、床面をける側の端縁を曲面状としてあるので、当該接地ブロック部分は適度に滑り易くなって、躓きにくく、半導体工場などで用いるに好適な静電気帯電防止靴を提供できる。
【実施例】
【０００７】
図面は本発明に係る静電気帯電防止靴用の靴底の一実施例を示し、図１は一部の底面図、図２は図１のｘ−ｘ線拡大断面図、図３は図１のｙ−ｙ線拡大断面図である。
【０００８】
実施例の靴底は、アウトソール部とミッドソール部の２層構造になっており（この２層構造については具体的に図示していない）、ウレタン樹脂を主材とする導電性素材をクッション性と軽量化を図るために発泡成形し、前記のアウトソール部側を微発砲に、ミッドソール部側を高発砲にして好適な履き心地（靴としての）を期待したものである。
【０００９】
図示１は、靴底Ａの踏付け部で、該踏付け部１の表面（接地面）には、接地ブロック２，３，４，５，６（以下、接地ブロック２等という）と第二接地ブロック７，８，９（以下、第二接地ブロック７等という）を突設し、該接地ブロック２等と第二接地ブロック７等および靴底Ａの踵部側の意匠（接地）ブロックの全部又は一部が床面に接触して静電気を逃がし、人体への静電気の帯電を防ぐようにしてある。
【００１０】
前記接地ブロック２等は、前記踏付け部１（靴底Ａ）の先端側周端部１ａすなわち、靴底Ａの先端側の周端縁１´と図示２点鎖線で示す親指等の各指ｔ１，ｔ２，ｔ３，ｔ４，ｔ５を載置する部分（位置は、足の大きさすなわち靴底の大きさに対応して特定される）ｐとの間に突設し、その先端側の自由端側の先端の接地面２ａ，３ａ，４ａ，５ａ，６ａ（以下、接地面２ａ等という）は梨地状にして凹凸状と成し（各接地面２ａ等の凹凸状は梨地状に限定する必要はない）、該接地面２ａ等と接地ブロック２等の基端（前期踏みつけ部１の本体）との間の周側面２ｂ，３ｂ，４ｂ，５ｂ，６ｂ（接地ブロック等は、この周側面２ｂ等と前記接地面２ａ等で構成される）を接地面２ａ等側から前記基端部にかけて接地面の面外方向に向かって高さが漸小する形態として補強効果を期待している。
【００１１】
また、接地ブロック２等の接地面２ａ等と周側面２ｂ等とが互いに連続する接続部（接地面２ａ等の端縁部）は曲面状としてある。もっとも、この曲面状は、前記踏付け部１の表面すなわち靴底１の表面の面外方向側（踏付け部１の先端側、側端側）の端縁部が成っていれば、角が床面に引っ掛って躓かないという該「曲面状にする」目的は達成できるのである。
【００１２】
実施例の接地ブロック２等は互いに独立して（不連続で）、前記周端部に並設してあるが、連続していても必ずしも不都合はないが、実施例のように互いに独立させていると、各接地ブロック２等間に間隙ｓがあるため、歩行時に折り曲がりやすく、履き心地の低減を防ぐことができる。このため、実施例の接地ブロック２等は、靴底１の表面の面外方向側に対応する面内方向側に符号ｍで示す切除部を設け、書く設置ブロック２等が歩行時に折り曲がり易くしてある。
【００１３】
前記第二接地ブロック７等は、その内の一の第二接地ブロック７が符号ｔ１で示す前記親指ｔ１の先部で押圧される部分Ｍ１に、他の１つの第二接地ブロック８が親指ｔ１の付け根部で押圧される部分Ｍ２に、そして、もう一つの第二接地ブロック９が符号ｔ５で示す前記小指ｔ５で押圧される部分Ｍ３にそれぞれ配されて、前記接地ブロック２等とほぼ同じ高さ（０．１ｍｍ〜５．０ｍｍ）で踏付け部１の表面に突設されており、この位置関係によって、バランスよく歩行できるという利点を得られる。
【００１４】
第二接地ブロック７等は、接地面７ａ，８ａ，９ａを接地ブロック２等の接地面２ａ等と同様に凹凸状（実施例は梨地状）と成し、周側面７ｂ，８ｂ，９ｂを接地ブロック２等の周側面２ｂ等と同様に、接地面７ａ，８ａ，９ａ側からブロック基端縁にかけて接地面７ａ，８ａ，９ａの面外方向に向かって高さが漸小する形態としてブロック７，８，９に補強効果が奏するようにしてある。
【００１５】
実施例の第二接地ブロック７，８，９は平面視欠円リング状としてあるが、これは、指で押圧される前記部分Ｍ１，Ｍ２，Ｍ３にできるだけ狭い面積（広いと滑り易くなる）で押圧力を集中させ、しかも、歩行時に、当該ブロック７，８，９の床面に対する接触がどの部分から始まっても不都合のないようにするためである。
【００１６】
第二接地ブロック７等の接地面７ａ，８ａ，９ａの周端縁が曲面状を成して周側面７ｂ，８ｂ，９ｂに連続することは、接地ブロック２等と同様である。
【００１７】
因みに、実施品と従来品の静摩擦係数をスリップメーター（トリニティラボ社製）によって静摩擦係数測定したので、その試験結果を下記に示す。
【００１８】
【表１】
2008149061.tif 000003
【００１９】
【表２】
2008149061.tif 000004
【００２０】
実施品と従来品とは、静摩擦係数の平均値が０．９の差異があり、０．１ポイントの差を大きいとみる摩擦係数の世界ではこの差は大差であり、はっきりと体感できる差でもあり、本発明は、滑りやすく、その分、躓きにくい製品を提供できることが判る。
【図面の簡単な説明】
【００２１】
【図１】一部の底面図。
【図２】図１のｘ−ｘ線拡大断面図。
【図３】図１のｙ−ｙ線拡大断面図。
【符号の説明】
【００２２】
１´          縁部
１ａ          周端部
２，３，４，５，６            接地ブロック
２ａ，３ａ，４ａ，５ａ，６ａ  接地面
２ｂ，３ｂ，４ｂ，５ｂ，６ｂ  周側面
【図１】
2008149061.tif 000005
【図２】
2008149061.tif 000006
【図３】
2008149061.tif 000007